(57)【特許請求の範囲】
【請求項１】
クライアント装置とネットワークを介して接続された接続先ストレージに対して、該接続先ストレージとネットワークを介して接続された相手先ストレージがコンテンツデータを送信するコンテンツ送信方法であって、
前記クライアント装置が、前記相手先ストレージに格納されたコンテンツのリストを要求するリスト要求を、前記接続先ストレージに対して送信するステップと、
前記接続先ストレージが、前記相手先ストレージに格納されたコンテンツのリストを要求するリスト要求を前記相手先ストレージに対して送信するステップと、
前記相手先ストレージが、前記リスト要求に応じて、自機に格納されたコンテンツのリストを前記接続先ストレージに対して送信するステップと、
前記接続先ストレージが、前記相手先ストレージに格納されたコンテンツのリストを前記クライアント装置に対して送信するステップと、
前記クライアント装置が、前記接続先ストレージに対して送信するコンテンツとして前記リストに基づいて選択されたコンテンツを示す送信元情報を含むデータ送信要求を、前記接続先ストレージに対して送信するステップと、
前記接続先ストレージが、前記リストに基づいて選択されたコンテンツを示す送信元情報を含むデータ送信要求を前記相手先ストレージに対して送信するステップと、
前記相手先ストレージが、前記データ送信要求に応じて、自機に格納されたコンテンツの複製許可通知を前記接続先ストレージに対して送信するステップと、
前記接続先ストレージが、前記相手先ストレージに格納されたコンテンツの複製許可通知を前記クライアント装置に対して送信するステップと、を備える、コンテンツ送信方法。
【請求項２】
前記クライアント装置が、前記接続先ストレージに格納されたコンテンツのリストを要求するリスト要求を、前記接続先ストレージに対して送信するステップと、
前記接続先ストレージが、前記リスト要求に応じて、自機に格納されたコンテンツのリストを前記クライアント装置に対して送信するステップと、
前記クライアント装置が、前記接続先ストレージの前記リスト及び前記相手先ストレージの前記リストに基づいて選択されたコンテンツを示す送信元情報と、該コンテンツの保存先を示す送信先情報と、を含むデータ送信要求を、前記接続先ストレージに対して送信するステップと、を備える、請求項１に記載のコンテンツ送信方法。
【請求項３】
前記相手先ストレージが、前記送信元情報に、自機に格納されたコンテンツが含まれる場合に、前記送信先情報に基づいて送信先を指定して、該当するコンテンツデータを前記接続先ストレージに対して送信するステップと、
前記接続先ストレージが、前記送信元情報に、自機に格納されたコンテンツが含まれる場合に、前記送信先情報に基づいて送信先を指定して、該当するコンテンツデータを前記相手先ストレージに対して送信するステップと、を更に備える、請求項２に記載のコンテンツ送信方法。
【請求項４】
前記接続先ストレージが、前記リスト要求に応じて、前記相手先ストレージとの名前解決を実行する名前解決サーバに対して該相手先ストレージのアドレスを取得するための名前解決要求を送信するステップと、
前記名前解決サーバが、前記名前解決要求に応じて、前記接続先ストレージに対して名前解決結果としてのアドレスを送信するステップと、を備える請求項１から請求項３のいずれかに記載のコンテンツ送信方法。
【請求項５】
複数のコンテンツを格納した格納部と、
ネットワークを介してクライアント装置及び相手先ストレージと通信を行う通信部と、を備えており、
前記通信部は、
前記相手先ストレージに格納されたコンテンツのリストを要求するリスト要求を前記クライアント装置から受信し、
前記リスト要求に応じて、前記相手先ストレージからコンテンツのリストを受信し、該リストを前記クライアント装置に対して送信し、
前記相手先ストレージが送信するコンテンツとして前記リストに基づいて選択されたコンテンツを示す送信元情報を含むデータ送信要求を、前記クライアント装置から受信し、
前記データ送信要求を、前記相手先ストレージへ送信し、
前記データ送信要求に応じて、前記相手先ストレージに格納されたコンテンツの複製許可通知を前記相手先ストレージから受信し、
前記複製許可通知を前記クライアント装置へ送信する、接続先ストレージ。
【請求項６】
前記相手先ストレージに格納されたコンテンツのリストを一時的に記録する記録保持部を更に備える、請求項５に記載の接続先ストレージ。
【請求項７】
ネットワークを介して相手先ストレージ及びクライアント装置と通信可能なコンピュータを、
前記相手先ストレージに格納されたコンテンツのリストを要求するリスト要求を、ネットワークを介して前記クライアント装置から受信するリスト要求受信手段と、
前記リスト要求に応じて、前記相手先ストレージに格納されたコンテンツのリストを要求するリスト要求を該相手先ストレージに対して送信し、該相手先ストレージから受信した該リストを前記クライアント装置に対して送信するリスト送受信手段と、
前記相手先ストレージが送信するコンテンツとして前記リストに基づいて選択されたコンテンツを示す情報を含むデータ送信要求を、前記クライアント装置から受信し、前記データ送信要求を、前記相手先ストレージへ送信するデータ送信要求送受信手段と、
前記データ送信要求に応じて、前記相手先ストレージに格納されたコンテンツの複製許可通知を前記相手先ストレージから受信し、前記複製許可通知を前記クライアント装置へ送信する複製許可通知送受信手段と、して機能させるためのコンテンツ送信プログラム。
【発明の詳細な説明】
【技術分野】
【０００１】
本発明は、複数のストレージ間においてコンテンツデータを送信するコンテンツ送信方法、接続先ストレージ及びコンテンツ送信プログラムに関する。
【背景技術】
【０００２】
近年、映像や音声等のデジタルコンテンツの利用が普及しており、デジタルコンテンツを自機に格納して利用するだけでなく、複数のストレージにおいてデジタルコンテンツを共有することが望まれている。例えば、インターネット等のネットワークに接続されたストレージ（例えば、ＮＡＳ；Ｎｅｔｗｏｒｋ  Ａｔｔａｃｈｅｄ  Ｓｔｏｒａｇｅ）にコンテンツを格納して、ＰＣ等からネットワークを介してストレージにアクセスすることにより、ストレージ内のコンテンツをＰＣにおいて利用することが行われている。
【０００３】
また、デジタルコンテンツの普及に伴い、複数のストレージ間におけるコンテンツの複製や移動が求められている。例えば、コンテンツの複製を行うためには、クライアント装置（例えば、ＰＣ）によって、複製元ストレージにアクセスして、このストレージ内のコンテンツを取得する。次いで、クライアント装置によって、複製先ストレージにアクセスして、複製元ストレージから取得したコンテンツを複製先ストレージに複製する。すなわち、クライアント装置が、複製先ストレージと複製元ストレージとの間においてコンテンツデータを中継する。このようなデータ複製方法によれば、クライアント装置の駆動負荷が大きくなる。特にスマートフォン等の携帯端末をクライアント装置として用いる場合においては、バッテリーの消費による駆動可能時間の減少が顕著となることがある。
【０００４】
このような問題に鑑みて、クライアント装置を介さずに、複数のストレージ間でコンテンツを複製するシステムが提供されている（例えば、特許文献１参照）。特許文献１に記載のシステムは、クライアント装置が、複製元ストレージに対して複製を要求するコンテンツデータを特定した複製要求を送信する。複製元ストレージは、リスト要求に応じて、自機に格納されている複製要求の対象データを複製先ストレージに対して送信する。
【先行技術文献】
【特許文献】
【０００５】
【特許文献１】特開２００４−５１８９号公報
【発明の概要】
【発明が解決しようとする課題】
【０００６】
クライアント装置から複製要求を受信した複製元ストレージが、相手先となる複製先ストレージに対してデータを送信する。しかし、複製元ストレージが、複製先ストレージからデータを取得することは想定されていない。更に、クライアント装置は、複製先ストレージのコンテンツリストを取得していないため、複製先ストレージから複製元ストレージへのデータ送信を要求する複製要求を発信することができない。
【０００７】
本発明は、上記の事情に鑑みて為されたもので、クライアント装置が接続先ストレージにアクセスすることによって、ネットワークを介して接続先ストレージと接続された相手先ストレージから接続先ストレージに対してコンテンツデータを送信することができるコンテンツ送信方法、接続先ストレージ、及びコンテンツ送信プログラムを提供することを例示的課題とする。
【課題を解決するための手段】
【０００８】
上記の課題を解決するために、本発明の例示的側面としてのコンテンツ送信方法は、クライアント装置とネットワークを介して接続された接続先ストレージに対して、接続先ストレージとネットワークを介して接続された相手先ストレージがコンテンツデータを送信するコンテンツ送信方法であって、クライアント装置が、相手先ストレージに格納されたコンテンツのリストを要求するリスト要求を、接続先ストレージに対して送信するステップと、接続先ストレージが、相手先ストレージに格納されたコンテンツのリストを要求するリスト要求を相手先ストレージに対して送信するステップと、相手先ストレージが、リスト要求に応じて、自機に格納されたコンテンツのリストを接続先ストレージに対して送信するステップと、接続先ストレージが、相手先ストレージに格納されたコンテンツのリストをクライアント装置に対して送信するステップと、クライアント装置が、接続先ストレージに対して送信するコンテンツとしてリストに基づいて選択されたコンテンツを示す送信元情報を含むデータ送信要求を、接続先ストレージに対して送信するステップと、を備える。
【０００９】
このコンテンツ送信方法によれば、接続先ストレージが、リスト要求に応じて、相手先ストレージに格納されたコンテンツのリストを取得して、このリストをクライアント装置に対して送信する。よって、クライアント装置は、接続先ストレージを介して、相手先ストレージに格納されたコンテンツのリストを取得することができる。
【００１０】
クライアント装置は、相手先ストレージに直接アクセスする必要はなく、接続先ストレージにアクセスできればよい。したがって、クライアント装置から相手先ストレージに対するアクセスが制限されている場合や、クライアント装置が相手先ストレージのアドレス（例えば、ＩＰアドレス）を取得していない場合等、クライアント装置から相手先ストレージに直接アクセスできない場合においても、クライアント装置が相手先ストレージに格納されたコンテンツのリストを取得することができる。
【００１１】
このように、クライアント装置が、相手先ストレージに格納されたコンテンツのリストを取得することにより、複製対象や移動対象となるコンテンツを相手先ストレージのリストから選択することが可能となり、この選択されたコンテンツを示す送信元情報を含むデータ送信要求を発信することができる。したがって、クライアント装置から接続先ストレージにアクセスすることによって、相手先ストレージから接続先ストレージに向けてコンテンツデータの送信を実行することが可能となる。
【００１２】
なお、相手先ストレージから接続先ストレージに対するコンテンツデータの送信は、コンテンツデータをコピーする（送信元にデータが残る）ように構成してもよいし、コンテンツデータを移動する（送信元にデータが残らない）ように構成してもよい。また、クライアント装置と接続先ストレージは、互いに同一セグメント内に配置されていても良いし、それぞれ異なるセグメントに配置されていてそれぞれのセグメントを中継サーバ等を介して接続されるように構成されていても良い。
【００１３】
また、コンテンツとは、デジタルデータ化された画像、音声のみならず、テキストファイル、Ｗｏｒｄ、Ｅｘｃｅｌ等のデータファイルも含む概念である。コンテンツのリストは、複数の項目が階層化されたツリー構造を有していてもよい。例えば、リストは、コンテンツ名の一覧を示すリストであってもよいし、コンテンツを格納するフォルダ名の一覧を示すリストであってもよい。
【００１４】
クライアント装置が、接続先ストレージに格納されたコンテンツのリストを要求するリスト要求を、接続先ストレージに対して送信するステップと、接続先ストレージが、リスト要求に応じて、自機に格納されたコンテンツのリストをクライアント装置に対して送信するステップと、クライアント装置が、相手先ストレージのリスト及び接続先ストレージのリストに基づいて選択されたコンテンツを示す送信元情報と、送信するコンテンツの保存先を示す送信先情報と、を含むデータ送信要求を、接続先ストレージに対して送信するステップと、を備えていてもよい。
【００１５】
このように、接続先ストレージが、リスト要求に応じて、自機に格納されたコンテンツのリストをクライアント装置に対して送信するように構成することにより、クライアント装置は、接続先ストレージに格納されたコンテンツのリストと、相手先ストレージに格納されたコンテンツのリストと、を取得することができる。よって、相手先ストレージから接続先ストレージに対するコンテンツデータの送信のみならず、接続先ストレージから相手先ストレージに対するコンテンツデータの送信を実行することができる。
【００１６】
相手先ストレージが、送信元情報に、自機に格納されたコンテンツが含まれる場合に、送信先情報に基づいて送信先を指定して、該当するコンテンツデータを接続先ストレージに対して送信するステップと、接続先ストレージが、送信元情報に、自機に格納されたコンテンツが含まれる場合に、送信先情報に基づいて送信先を指定して、該当するコンテンツデータを相手先ストレージに対して送信するステップと、を更に備えてもよい。
【００１７】
接続先ストレージが、リスト要求に応じて、相手先ストレージとの名前解決を実行する名前解決サーバに対して相手先ストレージのアドレスを取得するための名前解決要求を送信するステップと、名前解決サーバが、名前解決要求に応じて、接続先ストレージに対して名前解決結果としてのアドレスを送信するステップと、を備えてもよい。
【００１８】
本発明の他の例示的側面としての接続先ストレージは、複数のコンテンツを格納した格納部と、ネットワークを介してクライアント装置及び相手先ストレージと通信を行う通信部と、を備えており、通信部は、相手先ストレージに格納されたコンテンツのリストを要求するリスト要求をクライアント装置から受信し、リスト要求に応じて、相手先ストレージからコンテンツのリストを受信し、リストをクライアント装置に対して送信し、相手先ストレージが送信するコンテンツとしてリストに基づいて選択されたコンテンツを示す送信元情報を含むデータ送信要求を、クライアント装置から受信する。
【００１９】
また、本発明に係る接続先ストレージは、相手先ストレージに格納されたコンテンツのリストを一時的に記録する記録保持部を更に備えていてもよい。この構成によれば、接続先ストレージは、リスト要求を受信する毎に相手先ストレージからリストを取得せずに、記録保持部に記録されたリストをクライアント装置に対して送信することができ、処理時間を短縮することが可能となる。例えば、相手先ストレージと接続先ストレージとを接続するネットワークが比較的低速な場合においては、ネットワークを介してリストを取得する構成と比較して、処理時間を短縮することが可能となる。
【００２０】
本発明の他の例示的側面としてのコンテンツ送信プログラムは、ネットワークを介して相手先ストレージ及びクライアント装置と通信可能なコンピュータを、記相手先ストレージに格納されたコンテンツのリストを要求するリスト要求を、ネットワークを介してクライアント装置から受信するリスト要求受信手段と、リスト要求に応じて、相手先ストレージに格納されたコンテンツのリストを要求するリスト要求を相手先ストレージに対して送信し、相手先ストレージから受信したリストをクライアント装置に対して送信するリスト送受信手段と、相手先ストレージが送信するコンテンツとしてリストに基づいて選択されたコンテンツを示す情報を含むデータ送信要求を、クライアント装置から受信するデータ送信要求受信手段と、して機能させる。
【発明の効果】
【００２１】
本発明によれば、クライアント装置は、接続先ストレージにアクセスすることにより、接続先ストレージを介して相手先ストレージに格納されたコンテンツのリストを取得することができる。よって、複製対象又は移動対象となるコンテンツを相手先ストレージのリストから選択することが可能となり、この選択されたコンテンツを示す送信元情報を含むデータ送信要求を発信することができる。したがって、クライアント装置から接続先ストレージにアクセスすることで、相手先ストレージから接続先ストレージに向けてコンテンツデータの送信を実行することが可能となる。
【図面の簡単な説明】
【００２２】
【図１】実施の形態１に係るコンテンツ送信システムの構成を示すブロック図である。
【図２】図１に示す第１ＮＡＳの構成図である。
【図３】図１に示す第２ＮＡＳの構成図である。
【図４】図１に示す携帯端末の構成図である。
【図５】図１に示す管理サーバの構成図である。
【図６】実施の形態１に係るコンテンツ送信方法の動作を示すシーケンス図である。
【図７】実施の形態１に係るコンテンツ送信方法の認証処理を示すフローチャートである。
【図８】実施の形態１に係るコンテンツ送信方法の複製可否判定処理示すフローチャートである。
【図９】実施の形態１に係るコンテンツ送信方法の動作を示すシーケンス図である。
【図１０】実施の形態２に係るコンテンツ送信方法の動作を示すシーケンス図である。
【図１１】実施の形態２に係るコンテンツ送信方法の動作を示すシーケンス図である。
【発明を実施するための形態】
【００２３】
＜実施の形態１＞
本発明の実施の形態１について図面を参照して説明する。具体的には、（１）コンテンツ送信システムの概略構成、（２）第１ＮＡＳ１０の構成、（３）第２ＮＡＳ２０の構成、（４）携帯端末３０の構成、（５）管理サーバ４０の構成、（６）コンテンツ送信方法について説明する。
【００２４】
（１） コンテンツ送信システムの概略構成
図１は、実施の形態１に係るコンテンツ送信方法を実現するコンテンツ送信システム１の構成を示すブロック図である。コンテンツ送信システム１は、接続先ストレージとしての第１ＮＡＳ１０と、相手先ストレージとしての第２ＮＡＳ２０と、クライアント装置としての携帯端末３０と、名前解決サーバとしての管理サーバ４０と、を備える。第１ＮＡＳ１０、第２ＮＡＳ２０及び管理サーバ４０は、ネットワーク（例えば、インターネット）６０を介して互いに接続されている。携帯端末３０は、ネットワーク（携帯電話網及びゲートウェイを含む）６０を介して第１ＮＡＳ１０及び管理サーバ４０に接続されている。
【００２５】
コンテンツ送信システム１は、携帯端末３０からのデータ送信要求としての複製要求に応じて第１ＮＡＳ１０に格納されたコンテンツデータを第２ＮＡＳ２０に複製又は移動したり、携帯端末３０からの複製要求に応じて第２ＮＡＳ２０に格納されたコンテンツデータを第１ＮＡＳ１０に複製又は移動したりするシステムである。
【００２６】
管理サーバ４０は、各ＮＡＳの装置名とＩＰアドレスとを関連付けて格納しており、各ＮＡＳ又は携帯端末３０からの名前解決要求に応じて、ＮＡＳのＩＰアドレスを他のＮＡＳ又は携帯端末３０に対して送信して、名前解決を実行する。ＩＰアドレスを取得した他方のＮＡＳ等は、一方のＮＡＳに直接（管理サーバ４０を介さず）アクセスすることが可能となり、これにより複数のＮＡＳ間における接続が確立される（以下、Ｗｅｂアクセス機能とする）。
【００２７】
これにより管理サーバ４０は、携帯電話やＰＣ等の装置からインターネットを介して各ＮＡＳ内のコンテンツに外部からアクセスして、コンテンツのダウンロード及びアップロード等ができるように、ＮＡＳと他の装置との中継が実現される。第１ＮＡＳ１０及び第２ＮＡＳ２０には、Ｗｅｂアクセスを許可するか否か、及び許可する場合にアクセス可能なコンテンツの設定が予めなされている。携帯端末３０等から管理サーバ４０にアクセスすることにより、Ｗｅｂアクセス機能によって第１ＮＡＳ１０に格納されたコンテンツのリストや第２ＮＡＳ２０に格納されたコンテンツのリストを取得することが可能である。
【００２８】
（２）第１ＮＡＳ１０の構成
次に、接続先ストレージとしての第１ＮＡＳ１０の構成について、図２を参照して説明する。図２は、第１ＮＡＳ１０の構成図である。第１ＮＡＳ１０は、第１通信部１１と、処理部１２と、第１格納部１３と、を備える。
【００２９】
第１通信部１１は、第１ＮＡＳ１０をＷＡＮに接続するためのインターフェースである。なお、第１ＮＡＳ１０がＬＡＮにも接続可能に構成されている場合には、ＬＡＮに接続するためのＬＡＮポート又は無線ＬＡＮポートを有するように構成してもよい。第１通信部１１は、リスト要求受信手段、リスト送受信手段、データ送信要求受信手段として機能する。
【００３０】
処理部１２は、第１通信部１１を介して受信する複製要求及びリスト要求に応じた処理を実行する。処理部１２は、第１通信部１１を介してリスト要求等を取得する。処理部１２は、取得した要求に応じて、コンテンツのリストである第１リストの作成等を実行する。また、処理部１２は、送信先情報と送信元情報とが選択された複製要求を、第１通信部１１を介して取得する。処理部１２は、複製要求に応じて、第１格納部１３に格納されたコンテンツを参照して、複製コンテンツを作成したり、第２ＮＡＳ２０から取得した複製コンテンツを送信先情報に基づいて保存したりする。
【００３１】
第１格納部１３は、所定の情報を格納するＨＤＤ（Ｈａｒｄ  Ｄｉｓｋ  Ｄｒｉｖｅ）又はＳＳＤ（Ｓｏｌｉｄ  Ｓｔａｔｅ  Ｄｒｉｖｅ）等の不揮発性記憶手段によって構成される。格納部は１３、コンテンツ格納部１４とアドレス格納部１５とを備える。コンテンツ格納部１４は、音声や映像等のデジタルコンテンツを格納する。コンテンツ格納部１４は、外部からのＷｅｂアクセスを許可するコンテンツを格納した共有フォルダ１４ａと、Ｗｅｂアクセスを制限するコンテンツを格納した一般フォルダと、を備えている。アドレス格納部１５は、接続可能な装置の装置名と、ＩＰアドレスと、を対応付けるアドレステーブルを格納する。
【００３２】
（３）第２ＮＡＳ２０の構成
図３は、相手先ストレージとしての第２ＮＡＳ２０の構成を示した図である。なお、第２ＮＡＳ２０において、第１ＮＡＳ１０と符号のみ異なり、第１ＮＡＳ１０と同様の構成については、説明を省略する。第２ＮＡＳ２０は、第２通信部２１と、処理部２２と、第２格納部２３と、を備える。
【００３３】
第２通信部２１は、第１ＮＡＳ１０とネットワークを介してデータを送受信する。処理部２２は、第２通信部２１を介して第１ＮＡＳ１０から受信した要求等に応じた処理を実行する。処理部は、第２通信部２１を介して取得したリスト要求等に応じて、第２格納部２３のコンテンツのリストである第２リストの作成等を実行する。第２格納部２３は、所定の情報を格納するＨＤＤ等のストレージである。
【００３４】
（４）携帯端末３０の構成
図４は、クライアント装置としての携帯端末３０の構成図である。携帯端末３０は、第３通信部３１と、処理部３２と、第３格納部３３と、表示部３４と、入力受付部３５と、を備える。
【００３５】
第３通信部３１は、携帯端末３０を基地局（図示せず）に接続するためのインターフェースである。携帯端末３０は、基地局を介してネットワークに接続されている。このネットワークには、携帯電話網及びゲートウェイが含まれており、携帯端末３０は、携帯電話網等を介してＷＡＮに接続可能に構成されている。
【００３６】
処理部３２は、第３通信部３１を介して取得した情報や入力受付部によって受け付けた要求等に応じた処理を実行する。具体的には、処理部３２は、第３通信部３１から第１リスト及び第２リストを取得すると、取得した情報を第３格納部３３に格納したり、取得した情報を表示部３４に表示したりする。また、処理部３２は、ユーザからの入力操作に応じて、送信先情報と送信元情報とを含む複製要求の作成等を実行する。
【００３７】
第３格納部３３は、所定の情報を格納するＨＤＤ等のストレージである。第３格納部３３は、管理サーバ４０を介して取得したリスト及びコンテンツや、第１ＮＡＳ１０から取得したコンテンツを格納可能に構成されている。
【００３８】
表示部３４は、第３通信部３１を介して受信した第１リスト及び第２リストを表示する。また、表示部３４は、第３格納部３３に格納された映像等のコンテンツを表示する。
【００３９】
入力受付部３５は、ボタンやタッチパネル等によって構成されており、ユーザからの入力操作を受け付ける。具体的には、ユーザからのリスト要求を受け付けたり、表示部３４に表示された第１リスト及び第２リストから送信先の選択及び送信元の選択を受け付けたりする。
【００４０】
（５）管理サーバ４０の構成
図５は、名前解決サーバとしての管理サーバ４０の構成図である。管理サーバ４０は、第４通信部４１と、処理部４２と、第４格納部４３と、を備える。
【００４１】
第４通信部４１は、管理サーバ４０をＷＡＮに接続するためのインターフェースである。処理部４２は、第４通信部４１を介して携帯端末３０、第１ＮＡＳ１０及び第２ＮＡＳ２０から受信する要求等に応じた処理を実行する。例えば、処理部４２は、名前解決要求に応じて、該当するＮＡＳのＩＰアドレスを抽出したり、携帯端末３０から第１ＮＡＳ１０等へのＷｅｂアクセス要求を取得した際に、各ＮＡＳのコンテンツのリスト等を携帯端末３０に対して提供したりする。
【００４２】
第４格納部４３は、所定の情報を格納するＨＤＤ等のストレージである。第４格納部４３は、名前解決データベース４３ａを備えている。名前解決データベース４３ａには、ＮＡＳの装置名と、識別情報としてのＩＰアドレスと、が関連付けて記録されている。
【００４３】
また、図示していないが、第１ＮＡＳ１０、第２ＮＡＳ２０、携帯端末３０及び管理サーバ４０は、各通信部、処理部及び格納部等により処理をＣＰＵに実行させるためのプログラムを保持するプログラム保持部を備えていてもよい。プログラム保持部としては、例えば、ＲＡＭ、ＲＯＭ、ハードディスク、フレキシブルディスク、コンパクトディスク、ＩＣチップ及びカセットテープ等の記録媒体が用いられる。
【００４４】
（６）コンテンツ送信方法
実施の形態１に係るコンテンツ送信方法について、図６を参照しながら説明する。図６は、第１ＮＡＳ１０のコンテンツを第２ＮＡＳ２０に複製する場合におけるコンテンツ送信システムの動作を示すシーケンス図である。
【００４５】
Ｓ１０１において、携帯端末３０は、管理サーバ４０に対してＷｅｂアクセス要求を送信する。具体的には、管理サーバ４０に対して、ＩＤとパスワードを送信する。次いで、管理サーバ４０は、認証処理を実行する（Ｓ１０２）。図７は、管理サーバ４０において実行される認証処理のフローチャートである。
【００４６】
管理サーバ４０は、ＩＤとパスワードを受信し（Ｓ１０２１）、ＩＤとパスワードの認証処理を行う（Ｓ１０２２）。Ｓ１０２２においてＮＯの場合には、認証不可であるとしてエラー処理を実行する（Ｓ１０２３）。エラー処理としては、例えば、携帯端末に対して、再度のＩＤ等の送信を促すメッセージを送信する。一方、Ｓ１０２２においてＹＥＳの場合には、セキュリティー識別子（ＳＩＤ）を発行する（Ｓ１０２４）。
【００４７】
次いで、管理サーバ４０は、ＳＩＤを携帯端末３０に対して送信する（Ｓ１０２５）。携帯端末３０は、管理サーバ４０からのＳＩＤの受信に応じて、受信したＳＩＤを格納部に保存する（Ｓ１０３）。以上が認証処理である。
【００４８】
次いで、携帯端末３０は、リスト要求を管理サーバ４０に対して送信する（Ｓ１０４）。具体的には、第１ＮＡＳ１０及び第２ＮＡＳ２０の装置名を含むリスト要求とＳＩＤとを送信する。
【００４９】
なお、本実施の形態においては、セキュリティーの観点から一定時間の経過によってＳＩＤを無効にするように構成している。このような構成においては、管理サーバ４０が携帯端末３０からのリスト要求に含まれるＳＩＤの有効期限が切れていた場合等、認証できない場合に認証処理を自動的に再度実行するように構成することができる。認証処理を自動的に再度実行することにより、ユーザによる操作を低減することができ、迅速な処理を実現することができる。
【００５０】
管理サーバ４０は、各ＮＡＳの装置名とＩＰアドレスとを関連付けて格納しており、接続対象となる装置名に該当するＮＡＳ（この場合は、第１ＮＡＳ１０）のＩＰアドレスを抽出する（Ｓ１０５）。そして、管理サーバ４０は、第１ＮＡＳ１０に格納されたコンテンツのリスト（第１リスト）及び第２ＮＡＳ２０に格納されたコンテンツのリスト（第２リスト）を、第１ＮＡＳ１０を介して取得すべく、第１ＮＡＳ１０に対してＷｅｂアクセス要求を送信する。
【００５１】
なお、管理サーバ４０からのＷｅｂアクセス要求に対する認証処理（Ｓ１０７からＳ１０９）は、上述した管理サーバ４０と携帯端末３０との認証処理と同様であるため、説明を省略する。管理サーバ４０は、認証処理後、リスト要求を第１ＮＡＳ１０に対して送信する（Ｓ１１０）。
【００５２】
次いで、第１ＮＡＳ１０は、リスト要求を第２ＮＡＳ２０に対して送信すべく、第２ＮＡＳ２０に対してＷｅｂアクセス要求を送信する（Ｓ１１１）。なお、この認証処理（Ｓ１１２からＳ１１４）は、上述した認証処理と同様であるため、説明を省略する。第１ＮＡＳ１０は、認証処理後、リスト要求を第２ＮＡＳ２０に対して送信する（Ｓ１１５）。なお、このリスト要求には、第２ＮＡＳ２０の認証処理において第１ＮＡＳ１０が取得したＳＩＤが含まれている。
【００５３】
第２ＮＡＳ２０は、リスト要求の受信に応じて、ＳＩＤに基づいて第１ＮＡＳ１０がコンテンツを保存するフォルダへのアクセスが許可されているか否かを判定する（Ｓ１１６）。Ｓ１１６においてＮＯの場合、すなわち第１ＮＡＳ１０が該当するフォルダへのアクセスが許可されていない場合には、エラー処理を実行する。一方、Ｓ１１６においてＹＥＳの場合には、共有フォルダ内のコンテンツのリストである第２リストを第１ＮＡＳ１０に対して送信する（Ｓ１１７）。
【００５４】
第１ＮＡＳ１０は、第１ＮＡＳ１０の共有リストに格納されたコンテンツのリストである第１リストを作成し（Ｓ１１８）、第１リストと第２リストとを管理サーバ４０に対して送信する（Ｓ１１９）。管理サーバ４０は、第１リストと第２リストとを携帯端末３０に対して送信する（Ｓ１２０）。携帯端末３０は、コンテンツリストを表示し、第１ＮＡＳに対して複製するコンテンツデータの選択入力を受け付ける（Ｓ１２１）。
【００５５】
次いで、携帯端末３０は、選択されたコンテンツを示す送信元情報及び複製先情報を含む複製要求を管理サーバ４０に対して送信する（Ｓ１２２）。管理サーバ４０は、複製要求を第１ＮＡＳ１０に対して送信する（Ｓ１２３）。第１ＮＡＳ１０は、複製要求を第２ＮＡＳ２０に対して送信する（Ｓ１２４）。第２ＮＡＳ２０は、複製要求の受信に応じて、複製を許可するか否かを判定する複製可否判定処理を実行する（Ｓ１２５）。図８は、第２ＮＡＳにおいて実行される複製可否判定処理のフローチャートである。なお、この複製可否判定処理は、複製コンテンツデータを受信する（保存する）側のＮＡＳにおいて実行する。
【００５６】
第２ＮＡＳ２０は、データ複製要求を受信すると（Ｓ１２５１）、ＳＩＤの認証を行う（Ｓ１２５２）。ＳＩＤの有効期限が切れていたり、上述において発行したＳＩＤと一致しなかったりする場合等、Ｓ１２５２においてＮＯの場合には、Ｓ１１２からＳ１１４の認証処理を再度実行する。
【００５７】
なお、ＳＩＤの認証は、他の装置から要求（複製要求やリスト要求）を受信した際に、常に実行するように構成してもよいし、例えば、複製要求であってデータを受信する（データが書き込まれる）場合等、要求を受信した装置に変更が加えられる場合にのみ、当該権限を有している装置からの要求であることを確認するために実行するように構成してもよい。
【００５８】
なお、Ｓ１２５２においてＮＯの場合に、第１ＮＡＳ１０等を介して携帯端末３０にＳＩＤに認証ができなかったことを表示し、ユーザの操作に応じて再度認証処理を実行するように構成してもよい。しかし、ＳＩＤの認証処理が失敗した際に、自動的に認証処理を再度実行することにより、ユーザの操作負担を軽減し、迅速な処理を実現することができる。
【００５９】
一方、Ｓ１２５２においてＹＥＳの場合には、送信先情報において指定された保存先に複製コンテンツを保存できるか否かを判定する（Ｓ１２５３）。例えば、送信先情報として指定された保存先が書き込み不可（閲覧のみ）の場合等には、第１ＮＡＳ１０から受信する複製コンテンツデータを保存できないためである。Ｓ１２５３においてＮＯの場合には、複製処理を中止すべくエラー処理を実行して（Ｓ１２５４）、複製可否判定処理を終了する。
【００６０】
一方、Ｓ１２５３においてＹＥＳの場合には、複製コンテンツのファイル名が使用可能であるか否かを判定する（Ｓ１２５５）。例えば、ファイル名として使用できない文字や記号等がファイル名に含まれている場合には、使用不可と判定する。Ｓ１２５５においてＮＯの場合には、ファイル名を変更する（Ｓ１２５６）。例えば、使用不可である記号等を削除する。一方、Ｓ１２５５においてＹＥＳの場合には、送信先情報として指定された保存先フォルダが存在しているか否かを判定する（Ｓ１２５７）。保存先フォルダは、携帯端末３０によって指定されており、その指定された保存先が存在しない場合等には、複製コンテンツを保存できないためである。Ｓ１２５７においてＮＯの場合には、エラー処理を実行する（Ｓ１２５４）。
【００６１】
一方、Ｓ１２５４においてＹＥＳの場合には、保存先フォルダのファイル名を確認し、同じファイル名がないか否かを判定する（Ｓ１２５８）。Ｓ１２５８においてＮＯの場合、すなわち、同じファイル名がある場合には、第２ＮＡＳ２０にアップロードするファイル名を変更する（Ｓ１２５９）。一方、Ｓ１２５９においてＹＥＳの場合、すなわち、保存先フォルダに同じファイル名がない場合には、保存先フォルダに複製コンテンツの空き容量があるか否かを判定する（Ｓ１２６０）。Ｓ１２６０においてＹＥＳの場合、すなわち空き容量があると判定した場合は、複製許可通知を第１ＮＡＳに対して送信する（Ｓ１２６１）。一方、Ｓ１２６０においてＮＯの場合、すなわち空き容量がないと判定した場合には、複製コンテンツのデータ量を変更する（Ｓ１２６２）。例えば、空き容量分のコンテンツを複製するように変更する。なお、このデータ量の変更は、後述する複製完了通知と併せて、ユーザに対して通知するように構成することができる。以上が複製可否判定処理である。
【００６２】
第１ＮＡＳ１０は、第２ＮＡＳ２０から複製許可通知の受信に応じて、送信元情報に基づいて送信する複製コンテンツデータを作成し（Ｓ１２７）、複製コンテンツデータを第２ＮＡＳ２０に対して送信する（Ｓ１２８）。第２ＮＡＳ２０は、第１ＮＡＳ１０から受信したコンテンツデータを保存フォルダに保存する（Ｓ１２９）。次いで、第２ＮＡＳ２０は、複製完了報告を第１ＮＡＳ１０に対して送信し（Ｓ１３０）、第１ＮＡＳ１０は、複製完了報告を管理サーバ４０に対して送信する（Ｓ１３１）。以上の処理によって、第１ＮＡＳ１０のコンテンツを第２ＮＡＳ２０に複製することができる。
【００６３】
なお、本実施の形態では、第１ＮＡＳ１０は、複製許可通知の受信に応じて複製コンテンツデータを第２ＮＡＳ２０に対して送信するように構成しているが、管理サーバ４０が複製許可通知の受信に応じて介して携帯端末３０に複製許可通知を送信し、携帯端末３０から複製実行要求がなされたことを契機として、複製コンテンツデータを第１ＮＡＳ１０から第２ＮＡＳ２０に複製コンテンツデータを送信するように構成してもよい。携帯端末３０から複製実行要求を受け付けるように構成することにより、携帯端末３０の操作者は、複製が許可されていること、及び複製実行要求を送信することにより複製が実行されていることを把握することができる。例えば、複製コンテンツデータの容量が大きい場合には、複製可否判定処理と比較して処理時間がかかる複製データ送信処理の際に、操作者が処理を監視する必要がなく、操作者の処理に対する拘束時間を軽減することができる。また、本実施の形態のように、複製許可通知の受信に応じて複製コンテンツデータを第２ＮＡＳ２０に対して送信するように構成においても、複製が許可されない場合にのみ操作者に通知するように構成することによって、複製が実行される場合の操作者の操作負担を軽減することが可能となる。
【００６４】
また、管理サーバ４０は、複製完了報告の受信に応じて複製完了報告を携帯端末３０に対して送信してもよいし、複製完了報告の受信に応じて複製完了報告を携帯端末に対して送信せずに、次に携帯端末３０から管理サーバ４０に対してアクセスされた際に、複製完了報告を携帯端末３０に通知するように構成してもよい。
【００６５】
次いで、図９に基づいて、第２ＮＡＳ２０のコンテンツを第１ＮＡＳ１０に複製する場合におけるコンテンツ送信方法について説明する。図９は、第２ＮＡＳ２０のコンテンツを第１ＮＡＳ１０に複製する場合におけるコンテンツ送信システムの動作を示すシーケンス図である。図９に示すコンテンツ送信方法において、図６に示すコンテンツ送信方法と同様の構成については説明を省略する。
【００６６】
図９に示すＳ２０１からＳ２２４は、図６に示すＳ１０１からＳ１２３と同様の処理である。次いで、Ｓ２２５において、第１ＮＡＳ１０は、管理サーバ４０からの複製要求の受信に応じて、複製可否判定処理を実行する。具体的には、送信先情報において指定された保存先に複製コンテンツを保存できるか否か、複製コンテンツのファイル名が使用可能であるか否か、送信先情報として指定された保存先フォルダが存在しているか否か、保存先フォルダに同じファイル名がないか否か、及び保存先フォルダに複製コンテンツの空き容量があるか否かを判定する。
【００６７】
第１ＮＡＳ１０は、複製コンテンツデータのダウンロードを許可すると判定した場合には、複製許可通知を第２ＮＡＳ２０に対して送信する（Ｓ２２６）。第２ＮＡＳ２０は、送信元情報に基づいて送信する複製コンテンツデータを作成し（Ｓ２２７）、当該コンテンツデータを第１ＮＡＳ１０に対して送信する（Ｓ２２８）。第１ＮＡＳ１０は、第２ＮＡＳ２０から受信したコンテンツデータを保存し（Ｓ２２９）、複製完了報告を管理サーバ４０に対して送信する（Ｓ２３０）。
【００６８】
このようなコンテンツ送信方法によれば、携帯端末３０が第２ＮＡＳ２０にアクセスできない場合であっても、携帯端末３０が第１ＮＡＳ１０にアクセスすることによって、第２ＮＡＳ２０から第１ＮＡＳ１０へのコンテンツデータの複製を実行したり、第１ＮＡＳ１０から第２ＮＡＳ２０へのコンテンツデータの複製を実行したりできる。
【００６９】
また、携帯端末３０は、複製データを中継する必要がないため、複製要求を実行することによる拘束時間を短縮することができ、携帯端末３０が複製要求を実行することによる駆動可能時間の短縮を回避することができる。更に、携帯端末３０は、ネットワークを介して管理サーバ４０と接続する機能と、コンテンツリスト等を表示してデータ送信要求を受け付ける機能と、を備えていればよく、携帯端末３０に複雑な機能を搭載する必要がないため、汎用性を高めることが可能となる。
【００７０】
また、格納部が、複数項目が階層化されたツリー構造を有するように構成され、共有フォルダには複数のフォルダが格納され、ツリー構造の最下層にコンテンツが格納されるように構成してもよい。複数の項目が階層化されたツリー構造を有する場合にあっては、第１リスト及び第２リストの下層のリストとなる下層リストを取得するように構成してもよい。具体的には、例えば、第１ＮＡＳ及び第２ＮＡＳが、リスト要求に応じて、共有フォルダ内のフォルダリストを携帯端末に向けて送信するように構成する。携帯端末が、フォルダリストを表示し、フォルダの選択入力を受け付けることにより、該当するフォルダに含まれるコンテンツリストを取得する要求を発信するように構成する。
【００７１】
＜実施の形態２＞
次いで、実施の形態２に係るコンテンツ送信方法について説明する。実施の形態１に係るコンテンツ送信方法は、管理サーバ４０を介して携帯端末３０からのリスト要求等を第１ＮＡＳ１０に対して送信するように構成しているが、実施の形態２に係るコンテンツ送信方法は、管理サーバ４０を介さずに、携帯端末３０からのリスト要求等を第１ＮＡＳ１０に対して直接送信するように構成している。
【００７２】
次いで、実施の形態２に係るコンテンツ送信方法について、図１０及び図１１を参照しながら説明する。図１０及び図１１は、携帯端末３０からのリスト要求に応じて、管理サーバ４０が、第１ＮＡＳ１０と第２ＮＡＳ２０の名前解決を実行する場合におけるコンテンツ送信システムの動作を示すシーケンス図である。図１０は、第１ＮＡＳ１０のコンテンツを第２ＮＡＳ２０に複製する場合におけるコンテンツ送信システムの動作を示すシーケンス図である。図１１は、第２ＮＡＳ２０のコンテンツを第１ＮＡＳ１０に複製する場合におけるコンテンツ送信システムの動作を示すシーケンス図である。なお、実施の形態２に係るコンテンツ送信方法において、実施の形態１と同様の処理については、説明を省略する。
【００７３】
携帯端末３０は、第１ＮＡＳ１０の名前解決要求を管理サーバ４０に対して送信すべく、管理サーバ４０に対してＷｅｂアクセス要求を送信する（Ｓ３０１）。なお、Ｗｅｂアクセス要求に対する認証処理（Ｓ３０２からＳ３０４）は、実施の形態１における認証処理と同様であるため、説明を省略する。携帯端末３０は、認証処理後、第１ＮＡＳ１０の名前解決要求を管理サーバ４０に対して送信する（Ｓ３０５）。具体的には、第１ＮＡＳ１０の装置名と、ＩＰアドレスの取得要求と、を送信する。管理サーバ４０は、名前解決要求に応じて、名前解決結果としてのＩＰアドレスを携帯端末３０に対して送信する（Ｓ３０６）。携帯端末３０は、ＩＰアドレスを受信すると、第１ＮＡＳ１０のＩＰアドレスを第３格納部３３に格納する（Ｓ３０７）。次いで、携帯端末３０は、第１ＮＡＳ１０に対してリスト要求を送信すべく、第１ＮＡＳ１０に対してＷｅｂアクセス要求を送信する（Ｓ３０８）。また、Ｗｅｂアクセス要求に対する認証処理（Ｓ３０９からＳ３１１）は、実施の形態１における認証処理と同様であるため、説明を省略する。携帯端末３０は、認証処理後、リスト要求を第１ＮＡＳ１０に対して送信する（Ｓ３１２）。
【００７４】
次いで、第１ＮＡＳ１０は、管理サーバ４０に対して第２ＮＡＳ２０の名前解決要求を送信すべく、管理サーバ４０に対してＷｅｂアクセス要求を送信する（Ｓ３１３）。なお、Ｗｅｂアクセス要求に対する認証処理（Ｓ３１４からＳ３１６）は、実施の形態１における認証処理と同様であるため、説明を省略する。第１ＮＡＳ１０は、認証処理後、第２ＮＡＳ２０の名前解決要求を管理サーバ４０に対して送信する（Ｓ３１７）。
【００７５】
管理サーバ４０は、名前解決要求に応じて、名前解決結果として第２ＮＡＳ２０のＩＰアドレスを第１ＮＡＳ１０に対して送信する（Ｓ３１８）。第１ＮＡＳ１０は、第２ＮＡＳ２０のＩＰアドレスを受信すると、第２ＮＡＳ２０のＩＰアドレスを第１格納部１３のアドレス格納部１５に格納する（Ｓ３１９）。
【００７６】
第１ＮＡＳ１０は、リスト要求を第２ＮＡＳ２０に対して送信すべく、第２ＮＡＳ２０に対してＷｅｂアクセス要求を送信する（Ｓ３２０）。なお、Ｗｅｂアクセス要求に対する認証処理（Ｓ３２１からＳ３２３）は、実施の形態１における認証処理と同様であるため、説明を省略する。第１ＮＡＳ１０は、認証処理後、第２ＮＡＳ２０に対してリスト要求を送信する（Ｓ３２４）。
【００７７】
第２ＮＡＳ２０は、リスト要求の受信に応じて、共有フォルダに格納されたコンテンツのリストである第２リストを作成し（Ｓ３２５）、第２リストを第１ＮＡＳ１０に対して送信する（Ｓ３２６）。第１ＮＡＳ１０は、第１ＮＡＳ１０の共有フォルダに格納されたコンテンツのリストである第１リストを作成する（Ｓ３２７）。第１ＮＡＳ１０は、第１リストと、第２リストと、を携帯端末３０に対して送信する（Ｓ３２８）。
【００７８】
次いで、携帯端末３０は、第１ＮＡＳ１０から受信した第１リスト及び第２リストを表示し、ユーザからの複製要求の入力を受け付ける（Ｓ３２９）。携帯端末３０は、選択された送信元情報と送信先情報とを含む複製要求を第１ＮＡＳ１０に対して送信する（Ｓ３３０）。以下のＳ３３１からＳ３３７を実行することにより、第１ＮＡＳ１０から第２ＮＡＳ２０へコンテンツデータを複製することができる。なお、Ｓ３３１からＳ３３７は、実施の形態１におけるＳ１２４からＳ１３０までの処理と同様であるため、説明を省略する。以上の処理によって、第２ＮＡＳ２０のコンテンツを第１ＮＡＳ１０に複製することができる。
【００７９】
次いで、図１１に基づいて、第２ＮＡＳ２０のコンテンツを第１ＮＡＳ１０に複製する場合におけるコンテンツ送信方法について説明する。なお、図１１に示すコンテンツ送信方法において、図１０に示すコンテンツ送信方法と同様の構成については説明を省略する。図１１に示すＳ４０１からＳ４３０は、図１０に示すＳ３０１からＳ３３０と同様の処理である。次いで、Ｓ４３１において、第１ＮＡＳ１０は、管理サーバ４０からの複製要求の受信に応じて、複製可否判定処理を実行する。具体的には、送信先情報において指定された保存先に複製コンテンツを保存できるか否か、複製コンテンツのファイル名が使用可能であるか否か、送信先情報として指定された保存先フォルダが存在しているか否か、保存先フォルダに同じファイル名がないか否か、及び保存先フォルダに複製コンテンツの空き容量があるか否かを判定する。
【００８０】
第１ＮＡＳ１０は、複製コンテンツデータのダウンロードを許可すると判定した場合には、複製許可通知を第２ＮＡＳに対して送信する（Ｓ４３２）。第２ＮＡＳ２０は、送信元情報に基づいて送信する複製コンテンツデータを作成し（Ｓ４３３）、当該コンテンツデータを第１ＮＡＳ１０に対して送信する（Ｓ４３４）。第１ＮＡＳ１０は、第２ＮＡＳ２０から受信したコンテンツデータを保存する（Ｓ４３５）。次いで、第１ＮＡＳ１０は、複製完了報告を管理サーバ４０に対して送信する(Ｓ４３６)。以上の処理によって、第２ＮＡＳ２０のコンテンツを第１ＮＡＳ１０に複製することができる。
【００８１】
このように、名前解決サーバとしての管理サーバ４０によって、各ＮＡＳの名前解決を実行することができる。名前解決処理を行うことにより、各ＮＡＳが、他のＮＡＳのＩＰアドレスを取得していない場合であっても直接データの送受信を行うことができ、ＮＡＳ間において複製処理を行うことができる。また、管理サーバ４０は、ＮＡＳ間の名前解決処理を実行するのみであり、複製データやリスト要求を中継しない。したがって、管理サーバに係る負荷を少なくすることができる。
【００８２】
以上、本発明の好ましい実施の形態を説明したが、本発明はこれらに限定されるものではなく、その要旨の範囲内で様々な変形や変更が可能である。
【００８３】
例えば、実施の形態２では、第１ＮＡＳ１０の名前解決処理と第２ＮＡＳ２０の名前解決処理とを別々に処理しているが、携帯端末３０が名前解決サーバに対して複数の装置名を送信し、同時に複数のＩＰアドレスを取得するように構成してもよい。また、実施の形態１及び実施の形態２では、第１ＮＡＳが、第１リストと第２リストとを同時に携帯端末に向けて送信するように構成しているが、この構成に限られず、第１リストと第２リストとを別々に携帯端末に向けて送信するように構成してもよい。更に、実施の形態においては、クライアント装置として携帯端末を用いているが、携帯端末に限られず、ＰＣをクライアント装置として構成してもよい。
【００８４】
また、本実施の形態では、携帯端末３０又は管理サーバ４０からのリスト要求に応じて第１ＮＡＳ１０が第２リストを取得するように構成しているが、他の実施形態として、第１ＮＡＳ１０において第２リストを予め取得するように構成してもよい。このような構成において、一定時間の経過等に応じて定期的に第２リストを更新したり、第１ＮＡＳ１０のコンテンツデータを第２ＮＡＳ２０に移動又は複製した場合に第２リストを更新するように構成してもよい。
【符号の説明】
【００８５】
１…コンテンツ送信システム、  １０・・第１ＮＡＳ１０（接続先ストレージ）、  １１…第１通信部、  １２…処理部、  １３…第１格納部、  １４…コンテンツ格納部、  １４ａ…共有フォルダ、  １４ｂ…一般フォルダ、  １５…アドレス格納部、  ２０…第２ＮＡＳ２０（相手先ストレージ）、  ２１…第２通信部、  ２２…処理部、  ２３…第２格納部、  ２４…コンテンツ格納部、  ２４ａ…共有フォルダ、  ２４ｂ…一般フォルダ、  ２５…アドレス格納部、  ３０…携帯端末（クライアント装置）、  ３１…第３通信部、  ３２…処理部、  ３３…第３格納部、  ３４…表示部、  ３５…入力受付部、  ４０…管理サーバ、  ４１…第４通信部、  ４２…処理部、  ４３…第４格納部、  ４３ａ…名前解決データベース、  ６０…ネットワーク
【図１】
0005184606.tif 000002
【図２】
0005184606.tif 000003
【図３】
0005184606.tif 000004
【図４】
0005184606.tif 000005
【図５】
0005184606.tif 000006
【図６】
0005184606.tif 000007
【図７】
0005184606.tif 000008
【図８】
0005184606.tif 000009
【図９】
0005184606.tif 000010
【図１０】
0005184606.tif 000011
【図１１】
0005184606.tif 000012